(57)【要約】【課題】スクランブル処理技術及びネットワーク技術を利用して、従来のビデオ等レンタル業の問題（タイトルの過不足、返却の手間）を解消するメディアの新しい流通システムを提供する。【解決手段】知覚可能データをスクランブル処理した知覚不能データと、当該知覚不能データをデスクランブル処理して知覚可能データを生成することできるか否かを示すデスクランブルキーとを記憶し、当該デスクランブルキーは、知覚可能データを生成することのできる特定の期間を示す期間データを含むことを特徴とする情報記憶媒体。【選択図】    図１
2004206360.tif 000002
【特許請求の範囲】
【請求項１】
知覚可能データをスクランブル処理した知覚不能データと、当該知覚不能データをデスクランブル処理して知覚可能データを生成することできるか否かを示すデスクランブルキーとを記憶し、
当該デスクランブルキーは、知覚可能データを生成することのできる特定の期間を示す期間データを含むことを特徴とする情報記憶媒体。
【請求項２】
前記デスクランブルキーは、知覚可能データを生成することのできる特定のデスクランブル装置の装置IDを含む請求項１に記載の情報記憶媒体。
【請求項３】
前記デスクランブルキーは、知覚可能データを生成することのできる特定の情報記憶媒体の媒体IDを含む請求項１又は２に記載の情報記憶媒体。
【請求項４】
請求項１〜３のいずれかに記載の情報記憶媒体から得られた知覚不能データ及びデスクランブルキーが入力される入力部と、知覚不能データを知覚可能データにデスクランブルするデスクランブル部と、デスクランブルされた知覚可能データが出力される出力部と、知覚不能データを知覚可能データにデスクランブルするか否かを判断する判断部とを備え、
当該判断部は、当該デススクランブルキーに基づいてデスクランブルするか否かを判断するデスクランブル装置。
【請求項５】
請求項１〜３のいずれかに記載の情報記憶媒体から得られた知覚不能データ及びデスクランブルキーとユーザからのパスワードとが入力される入力部と、知覚不能データを知覚可能データにデスクランブルするデスクランブル部と、デスクランブルされた知覚可能データが出力される出力部と、知覚不能データを知覚可能データにデスクランブルするか否かを判断する判断部とを備え、
当該判断部は、当該デスクランブルキーと当該パスワードとに基づいてデスクランブルするか否かを判断するデスクランブル装置。
【請求項６】
ネットワークを介して他の端末と情報通信を行う通信部と、情報記憶媒体に情報を書き込む書込み部とを備えるクライアント端末であり、
ネットワークを介してサーバ端末から送信される製造指示データとしての知覚不能データ及びデスクランブルキーを情報記憶媒体に書き込み、請求項１〜３のいずれかの情報記憶媒体を製造するクライアント端末。
【請求項７】
ネットワークを介して他の端末と情報通信を行う通信部と、複数の知覚不能データを記憶する記憶部と、情報記憶媒体に情報を書き込む書込み部とを備えるクライアント端末であり、
ネットワークを介してサーバ端末から製造指示データとしての書込み指示データ及びデスクランブルキーが送信されると、当該書込み指示データに基づいて記憶部に記憶されている特定の知覚不能データを選択し、当該特定の知覚不能データと送信されるデスクランブルキーとを情報記憶媒体に書き込み、請求項１〜３のいずれかの情報記憶媒体を製造するクライアント端末。
【請求項８】
記録シート上に文字をプリントするプリント部を備え、サーバ端末から送信されるデスクランブルキーに基づいてキーワードを記録シート上にプリントする請求項６又は７に記載のクライアント端末。
【請求項９】
ネットワークを介して他の端末と情報通信を行う通信部と、複数の知覚不能データを記憶する記憶部とを備えるサーバ端末であり、
ネットワークを介してユーザ端末から注文データが送信されると、当該注文データに基づいて特定のクライアント端末に製造指示データを送信し、当該特定のクライアント端末に請求項１〜３のいずれかの情報記憶媒体を製造させるサーバ端末。
【請求項１０】
請求項６〜８のいずれかに記載の複数のクライアント端末と、請求項９に記載のサーバ端末とがネットワークを介して情報通信を行うクライアントサーバシステムであり、
当該サーバ端末は各クライアント端末が記憶している知覚不能データを管理しており、
ネットワークを介してユーザ端末から注文データが送信されると、当該注文データに基づいて特定のクライアント端末に特定の知覚不能データが記憶されているか否かを判断し、
記憶されている場合には当該クライアント端末に製造指示データとして書込み指示データ及びデスクランブルキーを送信し、
記憶されていない場合には当該クライアント端末に製造指示データとして当該知覚不能データ及びデスクランブルキーを送信するクライアントサーバシステム。
【請求項１１】
請求項６〜８のいずれかに記載の複数のクライアント端末と、請求項９に記載のサーバ端末とがネットワークを介して情報通信を行うクライアントサーバシステムであり、
各クライアント端末はサーバ端末が記憶している複数の知覚不能データの一部を記憶しており、
当該サーバ端末はネットワークを介してユーザ端末から送信される注文データに基づいて、より注文の多い知覚不能データをクライアント端末に記憶させるよう各クライアント端末が記憶している知覚不能データを管理するクライアントサーバシステム。
【発明の詳細な説明】
【０００１】
【発明の属する技術分野】
本発明は、映像や音声などを記憶したDVDやCDなどのメディアの新しい流通システムに適用可能な技術に関し、より詳細にはスクランブル技術の改良に係る。
【０００２】
【従来の技術】
【特許文献１】特開２００２−３０５７４０号公報
【特許文献２】特開２００２−３２０２１１号公報
【０００３】
従来から、レンタルビデオ、レンタルCDなどのレンタル業が広く行われている。これらのレンタル業では、店舗は多くのビデオやCDを備え、顧客はその店舗に出向き所望のビデオやCDを借り、予め定められた貸し出し期間内にそのビデオやCDを当該店舗に返却する。
【０００４】
なお、従来から映像データや音声データをスクランブル処理し、所定の手続を経ないとこれらを視聴することができなくする技術が広く知られている。例えば、特許文献１には衛星放送等に適用されるスクランブル制御方法が提案されている。また特許文献２には衛星放送信号をCATV放送信号に変換する送受信装置、送受信方法が提案されている。
【０００５】
【発明が解決しようとする課題】
ところで、レンタル業を営む店舗に大量のビデオやCDのタイトルを取り揃えることは物理的に困難である。これはレンタル業事業者にとっては、人気のないタイトルを抱えるリスクや、逆に人気のあるタイトルが不足して利益機会を失う問題がある。一方、ユーザにとっては、借りたいタイトルがない／貸し出し中であるなどの不満や、借りたビデオやCDを再び店舗に返しに行かなければならない面倒の問題がある。
【０００６】
本発明は、このような技術的な課題に鑑みてなされたものであり、その目的は、スクランブル処理技術及びネットワーク技術を利用して、従来のビデオ等レンタル業の問題（タイトルの過不足、返却の手間）を解消するメディアの新しい流通システムを提供することにある。
【０００７】
【課題を解決するための手段】
第一に、このようなメディアの新しい流通システムを実現する技術的手段としては、次のような情報記憶媒体が挙げられる。
【０００８】
すなわち、知覚可能データをスクランブル処理した知覚不能データと、当該知覚不能データをデスクランブル処理して知覚可能データを生成することできるか否かを示すデスクランブルキーとを記憶し、当該デスクランブルキーは、知覚可能データを生成することのできる特定の期間を示す期間データを含むことを特徴とする情報記憶媒体が挙げられる。ここで、前記デスクランブルキーは、知覚可能データを生成することのできる特定のデスクランブル装置の装置IDを含むものでもよいし、知覚可能データを生成することのできる特定の情報記憶媒体の媒体IDを含むものでもよい。
【０００９】
なお、知覚可能データとしては、映像データ（動画データ、静止画データ）、音声データ、映像データと音声データの両方などを挙げることができる。また、知覚不能データは、知覚可能データの一部又は全部をスクランブル処理したものである。例えば、知覚可能データが映像データと音声データの両方を含み、知覚不能データはスクランブル処理された映像データと、スクランブル処理されていない音声データとを含むものでもよい。また、情報記憶媒体としては、磁気により情報を記憶する磁気記憶媒体、光により情報を記憶する光記憶媒体、磁気と光とにより情報を記憶する磁気光記憶媒体などが挙げられる。
【００１０】
また第二に、このようなメディアの新しい流通システムを実現する技術的手段としては、次のようなデスクランブル装置が挙げられる。
【００１１】
すなわち、先の情報記憶媒体から得られた知覚不能データ及びデスクランブルキーが入力される入力部と、知覚不能データを知覚可能データにデスクランブルするデスクランブル部と、デスクランブルされた知覚可能データが出力される出力部と、知覚不能データを知覚可能データにデスクランブルするか否かを判断する判断部とを備え、当該判断部は、当該デススクランブルキーに基づいてデスクランブルするか否かを判断するデスクランブル装置が挙げられる。
【００１２】
また、先の情報記憶媒体から得られた知覚不能データ及びデスクランブルキーとユーザからのパスワードとが入力される入力部と、知覚不能データを知覚可能データにデスクランブルするデスクランブル部と、デスクランブルされた知覚可能データが出力される出力部と、知覚不能データを知覚可能データにデスクランブルするか否かを判断する判断部とを備え、当該判断部は、当該デスクランブルキーと当該パスワードとに基づいてデスクランブルするか否かを判断するデスクランブル装置が挙げられる。
【００１３】
第三に、このようなメディアの新しい流通システムを実現する技術的手段としては、次のようなクライアント端末が挙げられる。
【００１４】
すなわち、ネットワークを介して他の端末と情報通信を行う通信部と、情報記憶媒体に情報を書き込む書込み部とを備えるクライアント端末であり、ネットワークを介してサーバ端末から送信される製造指示データとしての知覚不能データ及びデスクランブルキーを情報記憶媒体に書き込み、先の情報記憶媒体を製造するクライアント端末が挙げられる。
【００１５】
また、ネットワークを介して他の端末と情報通信を行う通信部と、複数の知覚不能データを記憶する記憶部と、情報記憶媒体に情報を書き込む書込み部とを備えるクライアント端末であり、ネットワークを介してサーバ端末から製造指示データとしての書込み指示データ及びデスクランブルキーが送信されると、当該書込み指示データに基づいて記憶部に記憶されている特定の知覚不能データを選択し、当該特定の知覚不能データと送信されるデスクランブルキーとを情報記憶媒体に書き込み、先の情報記憶媒体を製造するクライアント端末が挙げられる。
【００１６】
さらに、これらのクライアント端末において、記録シート上に文字をプリントするプリント部を備え、サーバ端末から送信されるデスクランブルキーに基づいてキーワードを記録シート上にプリントするものでもよい。
【００１７】
第四に、このようなメディアの新しい流通システムを実現する技術的手段としては、次のようなサーバ端末が挙げられる。
【００１８】
すなわち、ネットワークを介して他の端末と情報通信を行う通信部と、複数の知覚不能データを記憶する記憶部とを備えるサーバ端末であり、ネットワークを介してユーザ端末から注文データが送信されると、当該注文データに基づいて特定のクライアント端末に製造指示データを送信し、当該特定のクライアント端末に請求項１~３のいずれかの情報記憶媒体を製造させるサーバ端末が挙げられる。
【００１９】
第五に、このようなメディアの新しい流通システムを実現する技術的手段としては、次のようなクライアントサーバシステムが挙げられる。
【００２０】
すなわち、先の複数のクライアント端末と、先のサーバ端末とがネットワークを介して情報通信を行うクライアントサーバシステムであり、当該サーバ端末は各クライアント端末が記憶している知覚不能データを管理しており、ネットワークを介してユーザ端末から注文データが送信されると、当該注文データに基づいて特定のクライアント端末に特定の知覚不能データが記憶されているか否かを判断し、記憶されている場合には当該クライアント端末に製造指示データとして書込み指示データ及びデスクランブルキーを送信し、記憶されていない場合には当該クライアント端末に製造指示データとして当該知覚不能データ及びデスクランブルキーを送信するクライアントサーバシステムが挙げられる。
【００２１】
また、先の複数のクライアント端末と、先のサーバ端末とがネットワークを介して情報通信を行うクライアントサーバシステムであり、各クライアント端末はサーバ端末が記憶している複数の知覚不能データの一部を記憶しており、当該サーバ端末はネットワークを介してユーザ端末から送信される注文データに基づいて、より注文の多い知覚不能データをクライアント端末に記憶させるよう各クライアント端末が記憶している知覚不能データを管理するクライアントサーバシステムが挙げられる。
【００２２】
【発明の実施による形態】
実施例
以下、本発明の実施による形態を実施例に基いて詳細に説明する。
【００２３】
図１は、本実施例に係るメディア（DVD−R（情報記憶媒体））の流通システムを示す概念図である。このメディアの流通システムは、DVDセンタ３を中心に構成されており、各ユーザ端末２（１）~（ｍ）とDVDセンタ３（具体的にはDVDセンタ内のサーバ端末）とは情報通信ネットワークN1により接続され、DVDセンタ３（具体的にはDVDセンタ内のサーバ端末）と各ショップ（例えば、コンビニエンスストア、駅のキオスクなど）４（１）~（ｎ）とは情報通信ネットワークＮ２により接続されている。
【００２４】
ここで、ユーザ端末１は、情報通信機能を備える端末であれば、携帯電話１（１）、デスクトップ型パーソナルコンピュータ１（２）、ノートブック型パーソナルコンピュータ１（ｎ）の他、例えば、情報通信機能付きＰＤＡ、タブレットコンピュータ、家庭用電気機器、車載コンピュータ、（コンビニエンスストアなどの店頭に設置される）公衆情報通信端末などを使用することもできる。また、情報通信ネットワークＮ１、Ｎ２はインタネットとすることもできるし、情報通信ネットワークＮ２は光ファイバなどによる専用線として構成することもできる。
【００２５】
視聴覚場所２（１）~（ｍ）は、各ユーザ１（１）~（ｍ）が入手したDVD５（ｉ）を鑑賞する場所であり、具体的には各ユーザ１（１）~（ｍ）の自宅などである。
【００２６】
図２は、視聴覚場所２内のＤＶＤ鑑賞システム２００を説明するものである。このＤＶＤ鑑賞システム２００は、ＤＶＤプレーヤ２１、専用デコーダ（デスクランブル装置）２２、モニタ２３により構成されている。ここで、ＤＶＤプレーヤ２１、モニタ２３はいずれも汎用製品であり、その詳細は省略する。専用でコーダ２２は、同図に示すように、ユーザインタフェイス２２０、デジタルシグナルプロセッサ２２１、ＥＥＰＲＯＭ２１２、ＳＤＲＡＭ２２３、２２４を備えている。これらの構成により、後述の選択的なデスクランブル処理を実現している。
【００２７】
図３は、ＤＶＤセンタ３内のサーバ端末３００を説明するものである。このサーバ端末３００は、中央演算制御装置３０、主記憶装置３１、第一ハードディスク３２、通信制御装置３３、第二ハードディスク３４、第三ハードディスク３５、第四ハードディスク３６、ＤＶＤ−Ｒライブラリ３７を備え、それぞれがハブにより接続されている。また、第一ハードディスク３２には、サーバ管理プログラム７１が記憶されており、このサーバ管理プログラム７１が中央演算制御装置３０等により実行されることで、後述のサーバ端末３００の機能を実現している。なお、これら第一〜第四ハードディスクは物理的に一つのハードディスクで実現してもよいし、複数のハードディスクで実現してもよい。
【００２８】
ＤＶＤ−Ｒライブラリ３７には、複数枚のＤＶＤ−Ｒディスク、ＤＶＤリーダ、メディア搬送装置などから構成されている（いずれも図示せず）。そして、複数枚のＤＶＤ−Ｒディスク中には、複数種類（例えば、１００００種類程度）の映画データ（知覚可能データ）Ｄ（１）~（Ｐ）がスクランブル処理されスクランブル処理済み映画データ（知覚不能データ）Ｄ'（１）~（Ｐ）として記憶されている。さらに詳細には、各映画データＤは、いずれもスクランブル処理されていない映像データＤ（Ｖ）及び音声データＤ（Ａ）とから構成されており、各スクランブル処理済映画データＤ'は、スクランブル処理されている映像データＤ'（Ｖ）とスクランブル処理されていない音声データＤ（Ａ）とから構成されている。
【００２９】
また、第四ハードディスク３６には、複数種類（例えば、１００種類程度）の映画データ（知覚可能データ）Ｄ（１）~（Ｑ）がスクランブル処理されスクランブル処理済み映画データ（知覚不能データ）Ｄ'（１）~（Ｑ）として記憶されている。ここで、第四ハードディスク３６に記憶されている処理済み映画データＤ'（１）~（Ｑ）は、ＤＶＤ−Ｒライブラリ３７に記憶されている処理済み映画データＤ'（１）~（Ｐ）の一部である。また、いずれの処理済み映画データＤ'をＤＶＤ−Ｒライブラリ３７と第四ハードディスク３６とに重複して記憶するかは、ユーザからの注文状況に応じてサーバ端末管理プログラム７１が決定し、実行する。ここでは、注文上位１００種類の処理済み映画データＤ'（１）~（Ｑ）が第四ハードディスク３６に記憶されている。
【００３０】
また、第二ハードディスク３４には、ユーザ管理データベース３８が記憶されている。このユーザ管理データベース３８には、各ユーザＵ（１）~（ｍ）の氏名、各ユーザＵ（１）~（ｍ）が有する専用デコーダの機器ＩＤ、住所、支払方法、注文履歴などが関連データベース形式で記憶されている。また、第三ハードディスク３５には、タイトル管理データベース３９が記憶されている。このタイトル管理データベース３９には、映画データＤ'（１）〜（Ｐ）のタイトルＴ（１）〜（Ｐ）、各タイトルの映画データＤ'（１）〜（Ｐ）の所在などが関連データベース形式で記憶されている。
【００３１】
なお、図３では単一のサーバによりサーバ端末３００を構成しているが、複数のサーバにより（例えば、ウェブサーバ、データベースサーバ、通信サーバなど）サーバ端末３００を構成することもできる。
【００３２】
図４は、各ショップ４内のクライアント端末４００を説明するものである。このクライアント端末４００は、中央演算制御装置４０、主記憶装置４１、第一ハードディスク４２、通信制御装置４３、第二ハードディスク４６を備え、それぞれがハブにより接続されている。さらに、このクライアント端末４００は、インタフェイスＩ／Ｆを介してＤＶＤライタ４８、プリンタ機能を有する複合機４９を備えている。また、第一ハードディスク４２には、クライアント管理プログラム７２が記憶されており、このクライアント端末管理プログラム７２が中央演算制御装置４０等により実行されることで、後述のクライアント端末４００の機能を実現している。
【００３３】
また、第二ハードディスク４６には、複数種類（例えば、２０種類程度）の映画データ（知覚可能データ）Ｄ（１）~（Ｒ）がスクランブル処理されスクランブル処理済み映画データ（知覚不能データ）Ｄ'（１）~（Ｒ）として記憶されている。ここで、第二ハードディスク４６に記憶されている処理済み映画データＤ'（１）~（Ｒ）は、サーバ端末３００の第四ハードディスク３６に記憶されている処理済み映画データＤ'（１）~（Ｑ）の一部である（図３参照）。
【００３４】
また、いずれの処理済み映画データＤ'を（クライアント端末４００の）第二ハードディスク４６と（サーバ端末３００の）第四ハードディスク３６とに重複して記憶するかは、ユーザからの注文状況に応じてサーバ端末管理プログラム７１が決定し、サーバ端末管理プログラム７１とクライアント端末管理プログラム７２とが実行する。ここでは、注文上位２０種類の処理済み映画データＤ'（１）~（Ｒ）が第二ハードディスク４６に記憶されている。つまり、注文上位の処理済映画データＤ'は、ネットワークＮ２を介してＤＶＤセンタ３のサーバ端末３００から、各ショップ４のクライアント端末４００へと自動的に配信される。
【００３５】
以下、本実施例に係るメディア（DVD−R（情報記憶媒体））の流通システムの稼動手順を説明する。図５は、本実施例に係るメディア（DVD−R（情報記憶媒体））の流通システムの稼動手順に伴うデータの推移を説明するものである。
【００３６】
準備
ユーザＵの準備は、▲１▼ＤＶＤセンタ３に対してユーザ登録を行い、▲２▼ユーザ登録後にＤＶＤセンタ３から専用デコーダ２２を受け取り、▲３▼自宅に視聴覚システム（図２参照）２００を構築し、終了する。
【００３７】
ユーザ登録は、サーバ端末３００のユーザ管理データベース３８に対して、申し込みユーザＵ（ｉ）の氏名、当該ユーザＵ（ｉ）に与える専用デコーダ２２の機器ＩＤ（ｉ）、住所Ａ（ｉ）などを登録する。この登録の方法としては、ユーザＵ（ｉ）が、ユーザ端末１（ｉ）を用いてネットワークＮ１を介して、直接的にＤＶＤセンタ３に登録することもできるし、郵送によりＤＶＤセンタ３に登録することもできるし、さらに、提携しているショップ４（１）〜（ｎ）からも登録することができる。
【００３８】
専用デコーダ２２は、ユーザ登録の際にユーザが指定したショプで受け取ることができる。そして、ＤＶＤプレーヤ２１からの出力信号（映像信号及び音声信号）を専用デコーダ２２に入力し、専用デコーダ２２からの出力信号（映像信号及び音声信号）をモニタ２３に入力する。
【００３９】
ＤＶＤセンタ３及び各ショップ４（１）〜（ｎ）の準備としては、▲１▼映画データＤ'の生成及び記憶と、▲２▼タイトル管理データベース３９の構築、▲３▼ユーザ管理データベースの構築、が挙げられる。
【００４０】
映画データＤ'の生成及び記憶としては、サーバ端末３００のＤＶＤ−Ｒライブラリ３７及び第四ハードディスク３６、各クライアント端末４００の第二ハードディスク４６にスクランブル処理済の映画データＤ'を記憶される。デフォルトでは一般的な人気ランキングに基づいて、ＤＶＤ−Ｒライブラリ３７、第四ハードディスク３６、第二ハードディスク４６の順に人気の高いものほど重複して記憶される。なお、システムの可動中については、上述のように注文上位の高いものが動的に重複して記憶される。
【００４１】
このように映画データＤ'がＤＶＤ−Ｒライブラリ３７、第四ハードディスク３６、第二ハードディスク４６に記憶されると同時に、それらの所在を管理するタイトル管理データベース３９が構築される。また、上述のユーザ登録がなされると同時に、そのユーザの情報を管理するユーザ管理データベース３８が構築される。
【００４２】
タイトルの購入
タイトルの購入は、▲１▼登録済みユーザＵがＤＶＤセンター３へ注文し、▲２▼当該注文に基づいてＤＶＤセンター３はショップ４へＤＶＤ―Ｒディスク（情報記憶媒体）５と用紙（記録シート）６との作製を指示し、▲３▼当該指示に基づいてショップ４で映画データＤ'とデコードキーとがＤＶＤ−Ｒディスク５へ書き込まれるとともに、用紙（記録シート）６に当該デコードキーが印字され、▲４▼ユーザが当該ショップに出向いてこれらのＤＶＤ−Ｒディスク５と用紙６とを受け取り、終了する。
【００４３】
ユーザ登録を終えたあるユーザＵ（ｉ）は、ユーザ端末１（ｉ）を用いてＤＶＤセンタ３のサーバ端末３００に注文データＤ（Ｏ）を送信する。この注文データＤ（Ｏ）には、所望の映画のタイトルＴ（ｉ）、決済方法（クレジットカード決済又はショップ４での現金支払）、ユーザＵ（ｉ）が希望する受け取りショップ４（ｉ）等が含まれる。
【００４４】
注文データＤ（Ｏ）を受信したサーバ端末３００は、受け取りショップ４（ｉ）での受け取り可能時間（ＤＶＤディスク５（ｉ）が完成する予測時間）をユーザＵ(ｉ)にメールやユーザ端末１（ｉ）に表示させることにより告知する。
【００４５】
また、注文データＤ（Ｏ）を受信したサーバ端末３００は、注文データＤ（Ｏ）に含まれるユーザ氏名等と第二ハードディスク３４に記憶されるユーザ管理データベース３８とから、ユーザＵ（ｉ）を有する専用デコーダ２２の機器ＩＤ（ｉ）を取得する。また、注文データＤ（Ｏ）に含まれる映画タイトルＴ（ｉ）と第三ハードディスク３５に記憶されているタイトル管理データベース３９とに基づいて、映画タイトルＴ（ｉ）の映画データＤ'（ｉ）の所在を確認する。
【００４６】
そして、映画データＤ'（ｉ）が受け取りショップ４（ｉ）のクライアント端末４００（ｉ）の第二ハードディスク４６に記憶されている場合には、サーバ端末３００は当該クライアント端末４００（ｉ）に対して、製造指示データＤ（Ｐ）として、書込み指示データＤ（Ｗ）とデコードキーＫ（ｉ）（デコードキーＫについては後述する）とを送信する（図５の点線囲い部分４'参照）。一方、映画データＤ'（ｉ）が受け取りショップ４（ｉ）のクライアント端末４００（ｉ）の第二ハードディスク４６に記憶されていない場合には、サーバ端末３００は当該クライアント端末４００（ｉ）に対して、製造指示データＤ（Ｐ）として、（ＤＶＤ−Ｒライブラリ３７又は第四ハードディスク３６の少なくとも一方に記憶されている）当該映画データＤ'（ｉ）とデコードキーＫ（ｉ）とをエンコードし、得られたディスクイメージデータとデコードキーＫ（ｉ）とを送信する（図５の実線囲い部分４参照）。
【００４７】
ここで、デコードキーＫ（ｉ）は、専用アルゴリズムに基づいて、先に取得した機器ＩＤ（ｉ）と、受け取りショップ４で使用するＤＶＤディスク５（ｉ）のシリアル番号ＳＮ（ｉ）と、予め設定されている視聴期間ｔとから計算される。なお、視聴期間ｔは、絶対期間（例えば、「○年○月○日から△年△月△日まで」）として設定してもよいし、相対期間（例えば、「特定の専用デコーダ装置で視聴を開始してから７日間」）として設定してもよい。
【００４８】
製造指示データＤ（Ｐ）を受信した、受け取りショップ４（ｉ）のクライアント端末４００（ｉ）は、次のようにしてブランクのＤＶＤディスク５（ｉ）に映画データＤ'（ｉ）を書き込み、用紙６（ｉ）にデコードキーＫ（ｉ）を印字する。図６は得られたＤＶＤディスク５（ｉ）を、図７は得られた用紙６（ｉ）を説明するものである。
【００４９】
製造指示データＤ（Ｐ）として、書込み指示データＤ（Ｗ）とデコードキーＫ(ｉ)とが送信された場合には、ローカルディスクである第二ハードディスク４６に記憶されているスクランブル処理済映画データＤ'（ｉ）とデコードキーＫ（ｉ）とをエンコードし、ディスクイメージデータを作成した後、ＤＶＤライタ４８により当該ディスクイメージデータをＤＶＤディスク５（ｉ）に書き込む（図６参照）。そして、デコードキーＫ（ｉ）をパスワードＰＷとして、他のデータ（例えば、注文データＤ（Ｏ）に含まれるユーザＵ（ｉ）の氏名、視聴期間ｔなど）とともに、複合機４９により用紙６（ｉ）へ印字する（図７参照）。
【００５０】
一方、製造指示データＤ（Ｐ）として、ディスクイメージデータとデコードキーＫ(ｉ)とが送信された場合には、ＤＶＤライタ４８により送信されたディスクイメージデータをＤＶＤディスク５（ｉ）に書き込む（図６参照）。そして同様に、デコードキーＫ（ｉ）をパスワードＰＷとして、他のデータ（例えば、注文データＤ（Ｏ）に含まれるユーザＵ（ｉ）の氏名、視聴期間ｔなど）とともに、複合機４９により用紙６（ｉ）へ印字する（図７参照）。
【００５１】
ユーザＵ（ｉ）が受け取り可能時間以降に受け取りショップ４（ｉ）に出向くと、ＤＶＤディスク５（ｉ）と用紙６(ｉ)とが既に出来上がっている。受け取りショップ４（ｉ）で本人確認等を行い、（クレジットカード決済ではなく）現金決済を選択した場合には、料金を受け取りショップ４（ｉ）に支払い、ユーザＵ（ｉ）はこれらのＤＶＤディスク５（ｉ）と用紙６(ｉ)とを視聴覚場所である自宅２（ｉ）に持ち帰る。
【００５２】
タイトルの視聴
ユーザＵ（ｉ）は、自宅２（ｉ）の専用デコーダ２２（ｉ）のユーザインタフェイス２２０から、用紙６（ｉ）に印字されているデコードキーＫを入力する。また、ユーザＵ（ｉ）はＤＶＤプレーヤ２１にＤＶＤディスク５（ｉ）に挿入し、再生する。ここで、ＤＶＤディスク５（ｉ）に記憶されているデコードキーＫがビデオ信号の一部として専用デコーダ２２（ｉ）に入力される。そして、両デコードキーＫが一致する場合には、デコード処理（デスクランブル処理）を行い、デコードされた映画データＤ（ｉ）がモニタ２３に出力され、ユーザＵ（ｉ）は（予め定められた視聴期間ｔ内であれば）正常に視聴することがきる。逆に、両デコードキーＫが不一致の場合には、デコード処理を行わず、スクランブル処理された映画データＤ'（ｉ）がモニタに出力され、ユーザＵ（ｉ）は（予め定められた視聴期間ｔ内であっても）正常に視聴することができない。
【００５３】
また、予め定められた視聴期間ｔを経過した後は、専用デコーダ２２（ｉ）がそれを判断し、デコード処理が行われず、スクランブル処理された映画データＤ'（ｉ）がモニタに出力され、ユーザＵ（ｉ）は（両デコードキーが一致する場合であっても）正常に視聴することができない。
【００５４】
なお、本実施例では視聴期間ｔは一定期間として説明したが、変動期間とすることもできる。この場合、注文データＤ（Ｏ）において、ユーザは支払い金額に応じて視聴期間ｔを選択することができる。例えば、映画１タイトルを５００円で１週間視聴可能とし、８００円で２週間視聴可能とすることもできる。
【００５５】
また、本実施例ではユーザ端末と店舗端末とは別のものとして構成したが、これらが同一のものとして構成することもできる。
【００５６】
【発明の効果】
以上詳細に説明したように、本発明によれば、スクランブル処理技術及びネットワーク技術を利用して、従来のビデオ等レンタル業の問題（タイトルの過不足、返却の手間）を解消するメディアの新しい流通システムを提供することができる。
【図面の簡単な説明】
【図１】図１は、本実施例に係るDVDメディアの流通システムを示す概念図である。
【図２】図２は、ユーザの自宅に設けられる視聴システムを説明するものである。
【図３】図３は、DVDセンタに設けられるサーバ端末を説明するものである。
【図４】図４は、各ショップに設けられるクライアント端末を説明するものである。
【図５】図５は、データ処理の流れを説明する概念図である。
【図６】図６は、スクランブル処理済映画データD'とデコードキーKとが書き込まれたDVDディスクを説明するものである。
【図７】図７は、デコードキーK等が印字された用紙を説明するものである。
【符号の説明】
１…ユーザ端末、２…ユーザ自宅、３…DVDセンタ、４…ショップ、５…DVDディスク（情報記憶媒体）、６…用紙（記録シート）、２００…視聴覚システム、２１…DVDプレーヤ、２２…専用デコーダ（デスクランブル装置）、２３…モニタ、３００…サーバ端末、３６…第四ハードディスク（記憶部）、３７…DVD-Rライブラリ（記憶部）、３８…ユーザ管理データベース、３９…タイトル管理データベース、４００…クライアント端末、４８…DVDライタ（書き込み部）、４９…複合機（プリント部）、４６…第二ハードディスク（記憶部）
【図１】
2004206360.tif 000003
【図２】
2004206360.tif 000004
【図３】
2004206360.tif 000005
【図４】
2004206360.tif 000006
【図５】
2004206360.tif 000007
【図６】
2004206360.tif 000008
【図７】
2004206360.tif 000009